(57)【要約】【要約書】【課題】  従来の複合型読取書込装置は例えば商品の仕分けを行う際、バーコードを読み取るために光学情報読み取りモードへ切り替えたり、ＲＦＤＩタグを読み書きするために非接触式読み書きモードへ切り替えたりする手順を手動で行っており、工数がかかるという課題があった。【解決手段】  本発明の複合型読取書込装置は、光学情報ぬよる読み取りと無線による非接触の読み書きとの手順を予め記憶手段に記憶させ、この記憶手段に記憶された手順に従って光学情報の読み取りと無線による非接触の読み書きとを自動的に切り替えるようにしたことで工数削減を図ることができる。【選択図】  図２
2005056304.tif 000002
【特許請求の範囲】
【請求項１】
光学情報読取機能と無線による非接触式の読取書込機能とを備えた複合型読取書込装置において、光学情報の読み取りと無線による非接触式の読み書きとの手順を入力する入力手段と、前記入力手段により入力された前記手順を記憶する記憶手段とを有し、前記記憶手段に記憶された前記手順に従って光学情報の読み取りと無線による非接触式の読み書きとを自動で切り替える複合型読取書込装置。
【請求項２】
入力手段がキー入力手段であり、キー入力により処理手順を入力して記憶手段に記憶する請求項２記載の複合型読取書込装置。
【請求項３】
処理手順情報の記憶を開始する記憶開始キーと、処理手順情報の記憶を終了する記憶終了キーとを備え、前記記憶開始キーをキー入力してから処理手順情報を入力し、前記記憶終了キーをキー入力して処理手順情報の入力を終了する請求項１または２に記載の複合型読取書込装置。
【発明の詳細な説明】
【技術分野】
【０００１】
本発明は光学情報読取機能と無線による非接触式の読取書込機能とを備えた複合型読取書込装置に関するものである。
【背景技術】
【０００２】
近年、商品の識別等のために商品に付されたバーコードを読み取ることがごく一般的に行われている。一方で、商品情報の識別や情報の追加のために、ＲＦＩＤタグが用いられるようになってきている。これらバーコードやＲＦＩＤタグは、流通業界や物流業界で多く用いられており、かかる業界の要求から、バーコードの読み取りとＲＦＩＤタグを対象に、情報の読み取りと書き込みの両方の機能をもつ複合型の読取書込装置が提案されている（例えば、特許文献１参照）。
【特許文献１】特開２０００−３４８１３３号公報
【発明の開示】
【発明が解決しようとする課題】
【０００３】
しかし、従来の複合型読取書込装置は、使用者の使い勝手の良さが十分に考慮されていない。例えば商品の仕分け作業では、バーコードを読み取るための光学情報読み取りモードと、ＲＦＩＤタグを読み書きするための非接触式読み書きモードとの切り替えが必要になるが、特許文献１等に示される従来の複合型読取書込装置では、作業者の切替え操作については考慮されていない。一方で、実際に市場で用いられている複合型読取書込装置は、モードの切替えを随時手動で行うものであるため、作業の工数がかかり、また不便である。
【０００４】
本発明は、光学情報を読み取るモードへの切り替えや無線による非接触式読み取り書き込みモードへの切り替えを予め任意に設定した手順に従って自動的に切り替えるようにした複合型読取書込装置を提供することを目的とする。
【課題を解決するための手段】
【０００５】
本発明の複合型読取書込装置は、光学情報読取機能と無線による非接触式の読取書込機能とを備えた複合型読取書込装置において、光学情報の読み取りと無線による非接触式の読み書きとの手順を入力する入力手段と、前記入力手段により入力された前記手順を記憶する記憶手段とを有し、前記記憶手段に記憶された前記手順に従って光学情報の読み取りと無線による非接触式の読み書きとを自動で切り替えるものである。
【発明の効果】
【０００６】
以上のように、本発明の複合型読取書込装置によれば、処理手順を予め複合型読取書込装置内に記憶させておき処理内容を自動的に変更するようにしたので、処理を行う毎に処理の内容変更を手動で行う必要がなくなり、工数の低減や利便性を向上することができる。
【発明を実施するための最良の形態】
【０００７】
以下、本発明の実施の形態について図１と図２を用いて説明する。
【０００８】
（実施の形態１）
図１は、本発明における複合型読取書込装置の外観図で、図１（ａ）はその側面図、図１（ｂ）はその上面図を示す。図１において、１はバーコード等の光学情報の読み取りやＲＦＩＤタグ等の無線タグの読み取り書き込みを行う機能を備えた複合型読取書込装置である。２は複合型読取書込装置１の電源の投入や遮断を行うための信号を入力するための電源キーであり、３は光学情報の読取作業または無線タグの読取書込作業の開始信号を入力するためのトリガキーである。４は光学情報の読み取りまたは無線タグの読み書きの手順の入力時に光学情報の読み取りまたは無線タグの読み書きの選択等に使用されるファンクションキーであり、５はファンクションキー４で選択された内容を決定するための決定キーである。６は光学情報の読み取りまたは無線タグの読み書きの手順の入力を開始する時に押下する記憶開始キーであり、７はそれを終了する時に押下する記憶終了キーである。８はファンクションキー４により選択されている内容等を表示する液晶ディスプレイである。
【０００９】
また、図２は、本発明における複合型読取書込装置の概略構成を示すブロック図である。図２において、図１で説明したように、１は複合型読取書込装置であり、６は記憶開始キーであり、７は記憶終了キーである。９はバーコード等の光学情報を読み取る光学情報読取手段であり、１０は無線タグ等のデータの読み取りまたは書き込みを行う非接触式読取書込手段である。１１はキー入力手段であり、便宜的に図１で説明したファンクションキー４と決定キー５とを併せて示している。このキー入力手段は、バーコードを３回数読み取り、その後無線タグ読取モードに切替え、無線タグを１回読み取る、といったような、光学情報の読み取りや無線タグの読み書きの手順を入力するものである。１２はキー入力手段１１により決定入力された手順や読み取ったバーコードの情報を記憶する記憶手段である。１３は光学情報読取手段９や非接触式読取書込手段１０からの信号の処理や、キー入力手段１１で決定された手順を記憶手段１２に記憶させる処理等を行う制御部である。また、２１は光学情報の一例であるバーコードであり、２２は無線タグの一例であるＲＦＩＤタグである。
【００１０】
以上のように構成された複合型読取書込装置１について、その動作を説明する。具体例として、１つのバーコード２１が各々設けられている５つの商品（図示せず）があり、これら商品はＲＦＩＤタグ２２が設けられている１つのケース（図示せず）に収められて保管されるもので、各々の商品のバーコード２１を５つ読み取ってその情報をＲＦＩＤタグ２２に書き込む場合について説明する。
【００１１】
先ず、バーコード２１の読み取りとＲＦＩＤタグ２２の書き込みの手順を記憶する場合について説明する。
【００１２】
電源キー２を押下して複合型読取書込装置１を駆動状態にする。次に記憶開始キー６を押下して、複合型読取書込装置１を手順記憶モードにする。次にファンクションキー４を押下してバーコード２１の読み取りか、ＲＦＩＤタグ２２の読み取りか、ＲＦＩＤタグ２２への書き込みかを選択する。そして、決定キー５を押下することで選択内容が決定され、決定された内容は記憶手段１２に記憶されていく。
【００１３】
ここで、ファンクションキー４を押下する毎に順次前記３つ選択内容が変更され、現在選択している内容は液晶ディスプレイ８に表示される。これにより操作者は選択内容を確認しながら選択内容を決定することができる。
【００１４】
本実施の形態の場合、５つの商品に各々設けられたバーコード２１を５つ読み取り、これらの情報をＲＦＩＤタグ２２に書き込む手順を設定するので、ファンクションキー４によりバーコード２１の読み取りを選択し、決定キー５によりこれを決定し、この作業を５回行う。なお、このバーコード２１を読み取る手順は、記憶手段１２内のアドレスが付された記憶部分（図示せず）にアドレスが低い順に記憶され、例えば、アドレス１からアドレス５が付された記憶部分に記憶される。
【００１５】
また、手順を記憶させる別の方法として、ファンクションキー４によりバーコード２１の読み取りを選択し、併せて数値入力が可能なテンキー１４により回数である数字５を入力することで、バーコード２１を５回読み取ることを設定することもできる。なお、この場合も、手順がアドレスの低い順に記憶され、例えば、アドレス１からアドレス５が付された記憶部分に記憶されるのは上記と同様である。
【００１６】
次いで、ファンクションキー４によりＲＦＩＤタグ２２への書き込みを選択し、決定キー５によりこれを決定する。この場合、この手順はアドレス６が付された記憶部分に記憶される。そして、記憶終了キー７を押下して手順記憶モードを終了する。
【００１７】
次に、５つの商品に各々設けられたバーコード２１を５つ読み取り、これらの情報をＲＦＩＤタグ２２に書き込む動作について説明する。
【００１８】
複合型読取書込装置１の電源キー２が押下されると、制御部１３により記憶手段１２に記憶されている処理手順が読み出され、具体的には記憶手段１２内のアドレス１が付されている記憶部分に記憶されているバーコード２１の読み取りが読み出され、バーコード２１の読み取り可能状態となる。そして、この状態においてトリガキー３を押下することで光学情報読取手段９によりバーコード２１の情報が読み取られ、この情報は制御部１３を介して記憶手段１２に記憶される。このとき、制御部１３がバーコード２１を読み取ったと認識すると処理手順は次に進み、アドレスがアドレス１からアドレス２に移り、アドレス２が付されている記憶部分に記憶されているバーコード２１の読み取り作業が読み出され、バーコード２１の読み取り可能な状態となる。そして、このバーコード２１の読み取りとアドレス３から５に記憶されているバーコード読み取り作業の読み出しが繰り返される。
【００１９】
そして、バーコード２１を５回読み取るとアドレスがアドレス５からアドレス６に移り、アドレス６が付された記憶部分に記憶されているＲＦＩＤタグの書き込み作業が読み出され、ＲＦＩＤタグ２２への書き込み可能状態となり、トリガキー３を押下することで、制御部１３は記憶手段１２に記憶されている５つのバーコード２１の情報を読み出してこれらの情報を非接触式読取書込手段１０に伝達し、これらの情報は非接触式読取書込手段１０によりＲＦＩＤタグ２２に書き込まれる。
【００２０】
以上説明したように、処理手順を予め複合型読取書込装置１内に記憶させておき処理内容を自動的に変更するようにしたことで、処理を行う毎に処理の内容変更を手動で行う必要がなくなり、工数の低減や利便性を向上することができる。
【００２１】
なお、本発明は、工場内等において同一の処理手順を多数回行うような場合において特に有効である。
【産業上の利用可能性】
【００２２】
本発明の複合型読取書込装置は、処理手順を予め複合型読取書込装置内に記憶させておき処理内容を自動的に変更するようにしたので、処理を行う毎に処理の内容変更を手動で行う必要がなくなり、工数の低減や利便性を向上することができ、流通業界や物流業界等で有用である。
【図面の簡単な説明】
【００２３】
【図１】（ａ）本発明の複合型読取書込装置の側面図（ｂ）本発明の複合型読取書込装置の上面図
【図２】本発明の複合型読取書込装置の構成を示すブロック図
【符号の説明】
【００２４】
１  複合型読取書込装置
２  電源キー
３  トリガキー
４  ファンクションキー
５  決定キー
６  記憶開始キー
７  記憶終了キー
８  液晶ディスプレイ
９  光学情報読取手段
１０  非接触式読取書込手段
１１  キー入力手段
１２  記憶手段
１３  制御部
１４  テンキー
【図１】
2005056304.tif 000003
【図２】
2005056304.tif 000004